(57)【要約】【課題】軽構造で、生産・施工効率がよく、平面形状を自由に設定し得るとともに軽快な感じを与える階段を提供するとともに、軽構造かつ軽快であって面外方向の強度が高いトラス構造体を提供することを課題とする。【解決手段】トラス構造体１０で形成された左右一対の側桁と踏板１２とにより階段を構築する。トラス構造体１０は、階段勾配で傾斜する上弦材１および下弦材２と、上弦材１と下弦材２とを連結する複数のラチス材４とにより形成されると共に、トラス構造体１０，１０間には、これらを互いに連結し、蹴上げ高さごとに水平に配置される複数の連結部材１１が固定され、これら連結部材１１には、踏板１２が支持固定される。【選択図】　　　　　　図１
2004003260.tif 000002
【特許請求の範囲】
【請求項１】
トラス構造体で形成された左右一対の側桁と踏板とからなる階段であって、
前記両トラス構造体は、階段勾配で傾斜する上弦材および下弦材と、前記上弦材と前記下弦材とを連結する複数のラチス材とにより形成されると共に、前記踏板によって互いに連結されることを特徴とする階段。
【請求項２】
トラス構造体で形成された左右一対の側桁と踏板とからなる階段であって、
前記両トラス構造体は、階段勾配で傾斜する上弦材および下弦材と、前記上弦材と前記下弦材とを連結する複数のラチス材とにより形成されると共に、
前記両トラス構造体には、これらを互いに連結し、蹴上げ高さごとに水平に配置される複数の連結部材が固定され、
これら連結部材には、踏板が支持固定されることを特徴とする階段。
【請求項３】
高さ方向に隣り合う前記連結部材同士が互いに連結されることを特徴とする請求項２に記載の階段。
【請求項４】
高さ方向に隣り合う前記連結部材同士が左右方向に剛性の大きい平板状部材で互いに連結されることを特徴とする請求項３に記載の階段。
【請求項５】
トラス構造体で形成された左右一対の側桁と踏板とからなる階段であって、
前記トラス構造体は、階段勾配で傾斜する上弦材および下弦材と、前記上弦材と前記下弦材とを連結する複数のラチス材とにより形成されると共に、
前記複数のラチス材には、蹴上げごとに水平に配置される複数の水平ラチス材が含まれ、
前記踏板は、前記各水平ラチス材に支持されることを特徴とする階段。
【請求項６】
前記上弦材および前記下弦材には、節点部材が取り付けられ、
前記ラチス材は、前記節点部材に連結されることを特徴とする請求項１乃至請求項５のいずれか一項に記載の階段。
【請求項７】
前記上弦材および前記下弦材の少なくとも一方は、階段傾斜方向に連続し、前記ラチス材側に開口する溝部を有する形材で形成され、
前記節点部材は、前記溝部の内部に取り付けられることを特徴とする請求項６に記載の階段。
【請求項８】
前記形材には、開口を塞ぐ蓋材が取り付けられることを特徴とする請求項７に記載の階段。
【請求項９】
前記節点部材は、前記上弦材の下面または前記下弦材の上面に取り付けられることを特徴とする請求項６に記載の階段。
【請求項１０】
前記節点部材は、柱状で、その外周面に連結溝が形成され、
前記ラチス材の両端には、接続端部が形成され、
前記連結溝および前記接続端部には、互いに係合する凹凸が形成され、
前記接続端部を前記連結溝に圧入嵌合することにより節点が形成されることを特徴とする請求項６乃至請求項９のいずれか一項に記載の階段。
【請求項１１】
前記トラス構造体は、節点ごとに配設される節点部材と、隣接する節点部材を互いに連結するフレーム材とからなることを特徴とする請求項１乃至請求項５のいずれか一項に記載の階段。
【請求項１２】
前記節点部材は、柱状で、その外周面に連結溝が形成され、
前記フレーム材の両端には、接続端部が形成され、
前記連結溝および前記接続端部には、互いに係合する凹凸が形成され、
前記接続端部を前記連結溝に圧入嵌合することにより節点が形成されることを特徴とする請求項１１に記載の階段。
【請求項１３】
前記上弦材に沿って上補強部材が配置され、当該上補強部材が少なくとも三つ以上の前記節点部材に固定されることを特徴とする請求項１１又は請求項１２に記載の階段。
【請求項１４】
前記下弦材に沿って下補強部材が配置され、当該下補強部材が少なくとも三つ以上の前記節点部材に固定されることを特徴とする請求項１１乃至請求項１３のいずれか一項に記載の階段。
【請求項１５】
前記上補強部材または前記下補強部材は、平板状、Ｌ字形または溝形であることを特徴とする請求項１３又は請求項１４に記載の階段。
【請求項１６】
左右の前記上弦材間に板材が取り付けられていることを特徴とする請求項１乃至請求項１５のいずれか一項に記載の階段。
【請求項１７】
左右の前記下弦材間に板材が取り付けられていることを特徴とする請求項１乃至請求項１６のいずれか一項に記載の階段。
【請求項１８】
前記踏板の側端部の上方に位置する手摺と、
下端が前記トラス構造体に接合され、前記手摺を支持する手摺支柱とをさらに備えることを特徴とする請求項１乃至請求項１７のいずれか一項に記載の階段。
【請求項１９】
前記手摺支柱は、その下部が前記手摺と直交する方向に湾曲していることを特徴とする請求項１８に記載の階段。
【請求項２０】
複数のフレーム材を節点部材で連結して弦材が構成されているトラス構造体において、
前記弦材に沿って補強部材を配置するとともに、当該補強部材を連続する三つ以上の前記節点部材に固定したことを特徴とするトラス構造体。
【請求項２１】
前記補強部材は平板状で、トラス構造の弱軸方向の強度を補強する方向に配置されていることを特徴とする請求項２０に記載のトラス構造体。
【発明の詳細な説明】
【０００１】
【発明の属する技術分野】
本発明は、階段およびトラス構造体に関する。
【０００２】
【従来の技術】
従来、階段の踏板の支持方式には、様々な形式のものがあるが、木材や鋼材で階段を構築する場合には、踏板を側桁（以下、本明細書においては、ささら桁形式も含む）で支持する構造が一般的である。また、側桁は、踏板からの荷重を支持することから、例えば鋼製の階段であれば、溝形鋼やＩ形鋼といった大型で重厚な部材が使用されている。
【０００３】
【発明が解決しようとする課題】
しかし、従来の階段では、その側桁が重厚であるが故に、搬送及び施工に労力を要する。また、側桁の長さや形状が、階段の段数および階段勾配などの設置条件によって異なり、さらに、回り階段や平面視して曲線を形成する階段を構築する場合には、側桁に曲げ加工を施す必要があるため、側桁を効率よく生産することは難しい。
【０００４】
また、階段の側桁に限らず、建築構造体として溝形鋼やＩ形鋼といった大型で重厚な部材が使用されているが、このような部材を人目につくような箇所に用いると、その重厚さ故に重苦しい印象を与えてしまい、意匠性も乏しい。このため、これら重厚な部材に替えて、トラス構造体を使用する場合があるが、トラス構造は、その面内方向の荷重に対しては変形も小さく安定しているものの、面外方向の荷重に対しては変形が大きく安定性が低いといった問題があった。
【０００５】
そこで、本発明は、第一に、軽構造であって生産・施工効率がよく、さらには、平面形状を自由に設定し得るとともに軽快な感じを与える階段を提供することを課題とし、第二に、軽構造かつ軽快であって面外方向の強度が高いトラス構造体を提供することを課題とする。
【０００６】
【課題を解決するための手段】
このような課題を解決するために、請求項１に記載の発明は、トラス構造体で形成された左右一対の側桁と踏板とからなる階段であって、前記両トラス構造体は、階段勾配で傾斜する上弦材および下弦材と、前記上弦材と前記下弦材とを連結する複数のラチス材とにより形成されると共に、前記踏板によって互いに連結されることを特徴とする。
【０００７】
かかる階段によると、踏板を支持する側桁がトラス構造体であるので、階段を軽構造にすることができる。また、溝形鋼やＩ形鋼のような重厚な部材と異なり、軽やかで、開放感のある階段を構築できるので、室内に階段を構築した場合であっても、圧迫感が無い。また、左右のトラス構造体同士が踏板によって互いに連結されているので、結果として階段全体のねじり剛性および左右方向の曲げ剛性が向上し、階段昇降時に階段に発生するねじれや横揺れを大幅に抑制することができる。
【０００８】
請求項２に記載の発明は、トラス構造体で形成された左右一対の側桁と踏板とからなる階段であって、前記両トラス構造体は、階段勾配で傾斜する上弦材および下弦材と、前記上弦材と前記下弦材とを連結する複数のラチス材とにより形成されると共に、前記両トラス構造体には、これらを互いに連結し、蹴上げ高さごとに水平に配置される複数の連結部材が固定され、これら連結部材には、踏板が支持固定されることを特徴とする。
【０００９】
かかる階段によると、踏板を支持する側桁がトラス構造体であるので、階段を軽構造にすることができる。また、溝形鋼やＩ形鋼のような重厚な部材と異なり、軽やかで、開放感のある階段を構築できるので、室内に階段を構築した場合であっても、圧迫感が無い。また、左右のトラス構造体同士が連結部材によって互いに連結されているので、結果として階段全体のねじり剛性および左右方向の曲げ剛性が向上し、階段昇降時に階段に発生するねじれや横揺れを大幅に抑制することができる。
【００１０】
請求項３に記載の発明は、請求項２に記載の階段であって、高さ方向に隣り合う前記連結部材同士が互いに連結されることを特徴とする。
【００１１】
かかる階段によると、複数の連結部材が高さ方向に連結されて一体になっているので、一の踏板（連結部材）に左右方向の荷重が作用したときには、この荷重が他の連結部材に分散される。したがって、例えば、階段昇降時などに階段に生じるねじれや横揺れを大幅に抑制することができる。
【００１２】
請求項４に記載の発明は、請求項３に記載の階段であって、高さ方向に隣り合う前記連結部材同士が左右方向に剛性の大きい平板状部材で互いに連結されることを特徴とする。
【００１３】
かかる階段によれば、平板状部材を用いることにより、階段の左右方向の剛性がより有効に向上する。
【００１４】
請求項５に記載の発明は、トラス構造体で形成された左右一対の側桁と踏板とからなる階段であって、前記トラス構造体は、階段勾配で傾斜する上弦材および下弦材と、前記上弦材と前記下弦材とを連結する複数のラチス材とにより形成されると共に、前記複数のラチス材には、蹴上げごとに水平に配置される複数の水平ラチス材が含まれ、前記踏板は、前記各水平ラチス材に支持されることを特徴とする。
【００１５】
かかる階段によると、踏板を支持する側桁がトラス構造体であるので、階段を軽構造にすることができる。また、溝形鋼やＩ形鋼のような重厚な部材と異なり、軽やかで、開放感のある階段を構築できるので、室内に階段を構築した場合であっても、圧迫感が無い。さらに、階段を側面視すると、踏板が上弦材と下弦材との間に位置することになるので、すっきりとした外観になる。
【００１６】
請求項６に記載の発明は、請求項１乃至請求項５のいずれか一項に記載の階段であって、前記上弦材および前記下弦材には、節点部材が取り付けられ、前記ラチス材は、前記節点部材に連結されることを特徴とする。
【００１７】
かかる階段によると、上弦材および下弦材に取り付けられた節点部材にラチス材を連結することで階段を構築できる。
【００１８】
請求項７に記載の発明は、請求項６に記載の階段であって、前記上弦材および前記下弦材の少なくとも一方は、階段傾斜方向に連続し、前記ラチス材側に開口する溝部を有する形材で形成され、前記節点部材は、前記溝部の内部に取り付けられることを特徴とする。
【００１９】
かかる階段によると、上弦材および下弦材の少なくとも一方が階段方向に連続し、節点部材が、上弦材または下弦材の内部に取り付けられるため、すっきりとした外観を得ることができる。また、上弦材あるいは下弦材の内部に節点部材が取り付けられているが、上弦材の下面あるいは下弦材の上面が開口しているので、ラチス材を節点部材に連結することができる。
【００２０】
請求項８に記載の発明は、請求項７に記載の階段であって、前記形材には、開口を塞ぐ蓋材が取り付けられることを特徴とする。
【００２１】
かかる階段によると、上弦材および下弦材を形成する形材の開口を、蓋材で塞ぐので、形材の内部に塵などが溜まることはなく、また、美観も向上する。
【００２２】
請求項９に記載の発明は、請求項６に記載の階段であって、前記節点部材は、前記上弦材の下面または前記下弦材の上面に取り付けられることを特徴とする。
【００２３】
かかる階段によると、節点部材が上弦材の下面または下弦材の上面に取り付けられるので、上弦材および下弦材の内部形状を任意に設定することができる。
【００２４】
請求項１０に記載の発明は、請求項６乃至請求項９のいずれか一項に記載の階段であって、前記節点部材は、柱状で、その外周面に連結溝が形成され、前記ラチス材の両端には、接続端部が形成され、前記連結溝および前記接続端部には、互いに係合する凹凸が形成され、前記接続端部を前記連結溝に圧入嵌合することにより節点が形成されることを特徴とする。
【００２５】
かかる階段によると、ラチス材の両端に形成された接続端部を、節点部材の外周面に形成された連結溝に圧入嵌合することで、ラチス材と節点部材とが接合されるので、階段の構築が容易になる。また、連結溝および接続端部の各々に形成された凹凸が互いに噛み合うので、ラチス材がその軸線方向に移動することはない。
【００２６】
請求項１１に記載の発明は、請求項１乃至請求項５のいずれか一項に記載の階段であって、前記トラス構造体は、節点ごとに配設される節点部材と、隣接する節点部材を互いに連結するフレーム材とからなることを特徴とする。
【００２７】
かかる階段によると、トラス構造体が、節点間の長さを有する複数のフレーム材を組み合わせて構築されるので、トラス構造体の長さを容易に調節できる。すなわち、上弦材と下弦材についても、複数のフレーム材を連接して構成されているので、その全体の長さを調節する場合には、連接されるフレーム材の長さの変更（蹴上げ高さおよび踏面の奥行き寸法の変更）または段数の変更をするだけでよい。さらに、回り階段のように、階段の平面形状に変化を持たせる場合には、トラス構造体の長手方向に隣接するフレーム材の軸線方向を変えて、節点部材に接合するだけでよい。すなわち、曲線が含まれるような階段であっても、直線状の階段と同じフレーム材を利用することができるので、生産効率が良い。
【００２８】
請求項１２に記載の発明は、請求項１１に記載の階段であって、前記節点部材は、柱状で、その外周面に連結溝が形成され、前記フレーム材の両端には、接続端部が形成され、前記連結溝および前記接続端部には、互いに係合する凹凸が形成され、前記接続端部を前記連結溝に圧入嵌合することにより節点が形成されることを特徴とする。
【００２９】
かかる階段によると、フレーム材の両端に形成された接続端部を、節点部材の外周面に形成された連結溝に圧入嵌合することで、フレーム材と節点部材とが接合されるので、階段の構築が容易になる。また、連結溝および接続端部の各々に形成された凹凸が互いに噛み合うので、フレーム材がその軸線方向に移動することはない。
【００３０】
請求項１３に記載の発明は、請求項１１又は請求項１２の階段であって、前記上弦材に沿って上補強部材が配置され、当該上補強部材が少なくとも三つ以上の前記節点部材に固定されることを特徴とする。
【００３１】
かかる階段によると、上弦材を構成する複数の節点部材が上補強部材で一体化されるので、トラス構造体の面外方向の曲げ剛性が向上し、結果としてその面外方向の変形が抑制される。これにより、階段の左右方向に作用する荷重による当該階段の揺れがきわめて減少する。したがってさらに、左右のトラス構造体を互いに連結する連結部材を省略または軽構造化することができ、すっきりとした外観を得ることができる。
【００３２】
請求項１４に記載の発明は、請求項１１乃至請求項１３のいずれか一項に記載の階段であって、前記下弦材に沿って下補強部材が配置され、当該下補強部材が少なくとも三つ以上の前記節点部材に固定されることを特徴とする。
【００３３】
かかる階段によると、下弦材を構成する複数の節点部材が下補強部材で一体化されるので、トラス構造体の面外方向の曲げ剛性が向上し、結果としてその面外方向の変形が抑制される。これにより、階段の左右方向に作用する荷重による当該階段の揺れがきわめて減少する。さらに、左右のトラス構造体を互いに連結する連結部材を省略または軽構造化することができ、すっきりとした外観を得ることができる。
【００３４】
請求項１５に記載の階段は、請求項１３又は請求項１４に記載の階段であって、前記上補強部材または前記下補強部材は、平板状、Ｌ字形または溝形であることを特徴とする。
【００３５】
かかる階段によると、各補強部材が平板状であればその製造、取付が容易である。また、Ｌ字形、溝形であれば上弦材または下弦材を構成するフレーム材が隠れるのでシンプルな意匠となり、さらに上下方向の剛性も向上する。
【００３６】
請求項１６に記載の発明は、請求項１乃至請求項１５のいずれか一項に記載の階段であって、左右の前記上弦材間に板材が取り付けられていることを特徴とする。
【００３７】
かかる階段によると、左右の上弦材間に取り付けられた板材により、左右のトラス構造体が一体化されるとともに、当該二つの上弦材がなす平面のせん断変形が抑制されるので、階段昇降時にトラス構造体に発生するねじれや横揺れが大幅に抑制される。
【００３８】
請求項１７に記載の階段は、請求項１乃至請求項１６のいずれか一項に記載の階段であって、左右の前記下弦材間に板材が取り付けられていることを特徴とする。
【００３９】
かかる階段によると、左右の下弦材間に取り付けられた板材により、左右のトラス構造体が一体化されるとともに、当該二つの下弦材がなす平面のせん断変形が抑制されるので、階段昇降時にトラス構造体に発生するねじれや横揺れが大幅に抑制される。
【００４０】
請求項１８に記載の発明は、請求項１乃至請求項１７のいずれか一項に記載の階段であって、前記踏板の側端部の上方に位置する手摺と、下端が前記トラス構造体に接合され、前記手摺を支持する手摺支柱とをさらに備えることを特徴とする。
【００４１】
請求項１９に記載の階段構造は、請求項１８に記載の階段構造であって、前記手摺支柱は、その下部が前記手摺と直交する方向に湾曲していることを特徴とする。
【００４２】
かかる階段構造によると、手摺支柱の下部を湾曲させることにより、その剛性が高まる。すなわち、手摺を側方に押し倒すような荷重に対する抵抗性が増す。
【００４３】
請求項２０に記載の発明は、複数のフレーム材を節点部材で連結して弦材が構成されているトラス構造体において、前記弦材に沿って補強部材を配置するとともに、当該補強部材を連続する三つ以上の前記節点部材に固定したことを特徴とする。
【００４４】
かかるトラス構造体によると、弦材を構成する連続する三つ以上の節点部材が補強部材で一体化されるので、トラス構造体の面外方向の曲げ剛性が向上し、その面外方向の変形が抑制される。したがって、例えば、複数のトラス構造体を併設して用いる場合に、隣り合うトラス構造体同士を互いに連結する部材を省略または軽構造化することができ、すっきりとした外観を得ることができる。また、このことは、節点部材をその外周面に連結溝が形成された柱状とし、トラス構成材であるフレーム材の両端に扁平状の接続端部が形成され、前記連結溝および前記接続端部には、互いに係合する凹凸が形成され、前記接続端部を前記連結溝に圧入嵌合することにより節点が形成される場合にあって、前記扁平状の接続端部をトラスに面内方向に形成したときに、トラス構造体の面外方向の剛性向上に特に有効となる。
【００４５】
請求項２１に記載の発明は、請求項２０に記載のトラス構造体であって、前記補強部材は平板状で、トラス構造の弱軸方向の強度を補強する方向に配置されていることを特徴とする。
【００４６】
かかるトラス構造体によると、補強部材が平板状なので、その製造、取付が容易である。
【００４７】
【発明の実施の形態】
本発明の実施の形態を、添付した図面を参照しつつ、詳細に説明する。なお、同一の要素には同一の符号を付し、重複する説明は省略する。
【００４８】
（第１の実施形態）
本発明の第１の実施形態に係る階段は、図１乃至図４に示すように、左右一対の側桁たるトラス構造体１０，１０と、これらを互いに連結する複数の連結部材１１と、連結部材１１に支持固定される踏板１２と、踏板１２の側端部の上方に位置する手摺１５と、手摺１５を支持する手摺支柱１３，１４とからなる。また、本実施形態では、トラス構造体１０の下端と階下の床面７との間には、サポートシュー６ａ，６ｂが介設され、上端と階上の梁材８ａとの間には、サポートシュー６ｃが介設されている。
【００４９】
トラス構造体１０は、図２および図３に示すように、階段勾配で傾斜する上弦材１および下弦材２と、これらを互いに連結する複数のラチス材４とから構成されている。また、本実施形態では、上弦材１および下弦材２は、節点部材たるハブ５により連結された複数のフレーム材３からなり、ラチス材４はフレーム材３と同種の部材で構成されている。すなわち、トラス構造体１０は、複数のフレーム材３と、これらを互いに連結するハブ５とからなり、節点ごとに配設されたハブ５にフレーム材３の端部が接合されている。
【００５０】
フレーム材３は、図６（ａ）に示すように、両端に偏平状の接続端部３ａが形成された管状の部材からなり、接続端部３ａの先端には、凹凸が形成されている。また、フレーム材３は、アルミニウム合金製の押出形材からなり、接続端部３ａは、プレス加工などにより押し潰して形成される。なお、接続端部３ａは、ハブ５の軸線方向に長い偏平状に形成されていることから（図８、図９参照）、ハブ５の軸線方向の外力に対しては、強度的に強いジョイント構造が形成されている。
【００５１】
ラチス材４は、フレーム材３と同種の部材からなるが、図６（ｂ）（ｃ）に示すように、接続端部４ａの先端が、フレーム材３の軸線方向に対して角度α（以下、コイン角αとする）をもって切断されている。
【００５２】
ハブ５は、図８および図９に示すように、円柱状であり、アルミニウム合金製の押出形材もしくは鋳造品からなる。ハブ５の外周面には、複数の連結溝５ａがハブ５の軸線方向に沿って凹設されている。連結溝５ａは、フレーム材３の接続端部３ａの先端部分およびラチス材４の接続端部４ａの先端部分と同一の断面形状であり、その内壁には、接続端部４ａ（３ａ）の凹凸と係合する凹凸が形成されている。なお、上弦材１に沿って配設されるハブ５と下弦材２に沿って配設されるハブ５とは、ほとんど同一の構成であるが、ハブ５に接合される部材の本数や角度に合わせて、好適な形状に形成されている。例えば、上弦材１側のハブ５は、ラチス材４、フレーム材３および手摺支柱１３，１４が順に圧入嵌合できるだけの高さ（連結溝５ａ方向の長さ）を有し、下弦材２側のハブ５は、フレーム材３およびラチス材４が順に圧入嵌合できるだけの高さを有している。
【００５３】
そして、ハブ５の上面側もしくは下面側から、ハブ５の連結溝５ａにフレーム材３の接続端部３ａを圧入嵌合することにより、フレーム材３とハブ５とが接合される。このとき、図１０に示すように、連結溝５ａと接続端部１４ａの各々に形成した凹凸が互いに係合するので、フレーム材３がその軸線方向に引き抜かれることはない。
【００５４】
ラチス材４とハブ５との接合も同様であるが、ラチス材４の接続端部４ａは、図６（ｃ）に示すように、接続端部４ａの先端が、コイン角αで傾いているので、ラチス材４は、連結溝５ａに対してコイン角αだけ傾斜して接合される。
【００５５】
連結部材１１は、図７（ａ）（ｂ）に示すように、偏平状の接続端部１１ａと、踏板１２が支持固定される踏板支持部１１ｂとを有し、左右の上弦材１，１間に水平に架設されている（図４参照）。また、上下に隣接して配設される連結部材１１の間隔、すなわち、高さ方向に隣り合う連結部材１１，１１間の高低差は、蹴上げ高さとされている。接続端部１１ａは、フレーム材３の接続端部３ａと同一形状であり、ハブ５の連結溝５ａに圧入嵌合することができる。また、連結部材１１は、アルミニウム合金製の押出形材からなり、接続端部１１ａは、プレス加工などにより押し潰して形成される。なお、踏板支持部１１ｂは、プレス加工の妨げにならないように、予め、押し潰される部位を切除しておく。なお、踏板支持部１１ｂの上面は水平に配置されるが、一方で、接続端部１１ａが圧入嵌合されるハブ５の連結溝５ａ（ハブ５の軸線）が、階段の傾斜方向と直交する方向に形成されているので、接続端部５ａの押し潰し加工の向きは、踏板支持部１１ｂの上面に垂直な方向から角度θだけ回転した方向になる（図７（ｂ）参照）。
【００５６】
また、図示は省略するが、左右の下弦材２，２同士を互いに連結してもよい。この場合の連結部材は、フレーム材３と同様の構成のものが好適であり、下弦材２，２を連結部材で連結する際には、その接続端部をハブ５の連結溝５ａに圧入嵌合すればよい。
【００５７】
踏板１２は、図５（ａ）（ｂ）に示すように、木製や金属製などの板材からなり、ねじ、釘、ボルトなどで踏板支持部１１ｂに固定されている。
【００５８】
手摺支柱１３は、図１２（ａ）に示すように、両端に偏平状の接続端部１３ａが形成された管状の部材からなり、接続端部１３ａの先端には、凹凸が形成されている。また、手摺支柱１３は、アルミニウム合金製の押出形材からなり、接続端部１３ａは、プレス加工などにより押し潰して形成される。また、接続端部１３ａの先端は、軸線方向とコイン角αを成すように成形されている（図１１（ａ）参照）。
【００５９】
手摺支柱１４は、下部に曲げ加工が施された管状の部材からなり、手摺と直交する方向（図１２（ｂ）では右側）に湾曲し、すなわち、手摺１５と手摺支柱１３とで構成される面から外側に張り出している。手摺支柱の両端には、偏平状の接続端部１４ａが形成され、その先端には、凹凸が形成されている。また、手摺支柱１４は、アルミニウム合金製の押出形材からなり、接続端部１４ａは、プレス加工などにより押し潰して形成される。また、手摺支柱１４の軸線方向と、手摺１５の連結溝１５ｂの向きが異なるので、上端側の接続端部１４ａを加工する際に、手摺支柱１４の上端側の接続端部１４ａの方向を、手摺支柱１４の軸線方向と角度β（以下、ベント角β）を成すように曲げて（図１２（ｃ）参照）、接続端部１４ａの向きと連結溝１５ｂの向きとを一致させる。
【００６０】
手摺１５は、図１３（ａ）に示すように、下面に連結溝１５ｂが形成されたレール材１５ａと、これを覆う手摺カバー１５ｃとから構成されている。連結溝１５ｂは、手摺支柱１３，１４の上端側の接続端部１３ａ，１４ａと同一の断面形状を有し、連結溝１５ｂの内壁には、接続端部１３ａ，１４ａに形成された凹凸と係合する凹凸が形成されている。なお、図１３（ａ）において、１５ｄは、ジョイントピースであり、レール材１５ａを途中で連結する場合に使用する。図１のように、直線状の階段の場合は、連続する１本のレール材を使用することが可能であるが、階段が曲線を形成する場合や、手摺支柱１３，１４の接続端部１３ａ，１４ａを連結溝１５ｂの端部より挿入することが困難な場合には、短尺のレール材１５ａを使用し、ジョイントピース１５ｄにより連結してもよい（図１３（ｂ）参照）。
【００６１】
なお、図１３（ｂ）は、図１３（ａ）におけるｂ矢視図であるが、後述の図２０，図２２（ａ）（ｂ）のように、階段が曲線を形成する場合について示したものである。
【００６２】
次に、第１の実施形態に係る階段の構築手順について説明する。なお、以下では、階段の設置箇所において、前記の各部材を順次組み立てる場合を例に説明するが、これに限定されることはなく、搬送や施工の効率を考慮して、適宜、ユニット化したものを組み立ててもよい。
【００６３】
まず、トラス構造体１０，１０を所定の間隔をあけて、階下の床板７と階上の梁材８ａとの間に架設する。また、トラス構造体１０の下端と階下の床面７との間に、サポートシュー６ａ，６ｂを介設し、上端と階上の梁材８ａとの間に、サポートシュー６ｃを介設する。トラス構造体１０，１０は、従来の溝形鋼やＩ形鋼などからなる側桁と比較して、非常に軽量なので、設置作業は容易である。
【００６４】
次に、連結部材１１でトラス構造体１０，１０を互いに連結させるとともに、連結部材１１の踏板支持部１１ｂに踏板１２を支持固定する。連結部材１１でトラス構造体１０，１０を連結するには、図５（ａ）に示すように、連結部材１１の一方の接続端部１１ａを右側のトラス構造体１０の上弦材１を構成するハブ５に、他方の接続端部１１ａを左側のトラス構造体１０の上弦材１を構成するハブ５に、各々圧入嵌合し、後述の抜止め用のワッシャーを固定するだけでよい。なお、連結部材１１は、左右のトラス構造体１０において、同じ高さに位置するハブ５，５に接合して、水平になるようにする。また、踏板１２は、図５（ａ）（ｂ）に示すように、連結部材１１の踏板支持部１１ｂの上面に載置されるとともに、踏板支持部１１ｂの裏面側から挿通されるボルトや木ねじなどにより、連結部材１１に支持固定される。なお、連結部材１１に踏板１２を予め固定しておくと、現場での作業が容易になる。
【００６５】
また、手摺部分を予め組み立てておく。すなわち、図１２および図１３（ａ）に示すように、手摺１５のレール部材１５ａに形成された連結溝１５ｂに手摺支柱１３，１４の上側の接続端部１３ａ，１４ａを圧入嵌合して、手摺１５と手摺支柱１３，１４とを接合する。なお、レール部材１５ａが１本の長尺のもので構成されている場合には、手摺支柱１３，１４の上側の接続端部１３ａ，１４ａをレール部材１５ａの端部より挿入して組み立てる。
【００６６】
その後、手摺支柱１３，１４の下側の接続端部１３ａ，１４ａをハブ５の連結溝５ａに圧入嵌合して、手摺支柱１３，１４とハブ５とを接合する。なお、手摺支柱１３は、接続端部１３ａがコイン角αで切断されているので、ハブ５の軸線からα度だけ傾いて接合される。
【００６７】
また、図１１（ｂ）に示すように、ハブ５の上面および下面に、フレーム材３、ラチス材４などの連結溝５ａ方向への抜出しを防止するためのワッシャー５ｄをボルトナットでハブ５の上下面より固定し、ボルト頭およびナットには化粧用のキャップ５ｃを取り付ける。
【００６８】
このように、本実施形態の階段は、各部材を圧入嵌合すれば接合することができるので、組立が容易で、また、接続用の部品を削減することができるので経済的である。また、トラス構造体１０は、溝形鋼やＩ形鋼のような重厚な部材と比べて、軽やかで、かつ、開放感があるので、室内に階段を構築しても圧迫感が無い。また、各部材とハブ５とを接合する際に溶接や特別な工具を必要としないので、施工性がよい。
【００６９】
また、連結部材１１がトラス構造体１０，１０の上弦材１，１間に架設され、連結部材１１の上面に踏板１２が支持固定される構成であるため、踏板１２の上方にトラス構造体１０，１０が突出することはない。したがって、例えば、壁面に沿って本実施形態に係る階段を構築したときに、踏板１２の上方において壁面とトラス構造体１０とが重複することがないので、美観が損なわれることがない。
【００７０】
また、左右のトラス構造体１０，１０は、その上弦材１，１同士が連結部材１１によって互いに連結されているので、結果として階段全体のねじり剛性および左右方向の曲げ剛性が向上し、階段昇降時に階段に発生するねじれや横揺れを大幅に抑制することができる。
【００７１】
また、各部材をユニット化しておくことで、施工効率がさらに向上する。例えば、全ての構成要素（トラス構造体１０，１０、連結部材１１、踏板１２、手摺支柱１３，１４および手摺１５）をユニット化した場合には、このユニットを階下の床板７と階上の梁材８ａとの間に架設するだけで階段の構築が完了するので、短期間で階段を構築できる。また、トラス構造体１０、手摺１５と手摺支柱１３，１４をそれぞれ事前に組み立てておいてもよい。
【００７２】
（第２の実施形態）
本発明の第２の実施形態に係る階段は、図１４乃至図１７に示すように、左右一対の側桁たるトラス構造体２０，２０と、トラス構造体２０に支持固定される踏板２２と、踏板２２の側端部の上方に位置する手摺１５と、手摺１５を支持する手摺支柱１３，１４とからなる。また、本実施形態では、図１６に示すように、トラス構造体２０の下端と階下の床面との間には、サポートシュー２３ａが介設され、上端と階上の床板８との間には、サポートシュー２３ｂが介設されている。
【００７３】
トラス構造体２０は、図１５および図１６に示すように、階段勾配で傾斜する上弦材１および下弦材２と、これらを互いに連結する複数のラチス材４とから構成されている。また、本実施形態では、上弦材１および下弦材２は、ハブ５により連結された複数のフレーム材３からなり、ラチス材４はフレーム材３と同種の部材で構成されている。すなわち、トラス構造体２０は、複数のフレーム材３と、これらを互いに連結するハブ５とからなり、節点ごとに配設されたハブ５に、フレーム材３の端部が接合されている。また、ラチス材４の幾つかは、蹴上げ高さで水平に配置される（以下、水平ラチス材２１という）。
【００７４】
水平ラチス材２１は、図１９に示すように、偏平状の接続端部２１ａと、踏板２２が支持固定される踏板支持部２１ｂとからなり、蹴上げ高さで水平に配置されている（図１５参照）。接続端部２１ａは、第１の実施形態で説明したフレーム材３の接続端部３ａと同一の断面形状であるが、水平ラチス材２１の軸線とハブ５の軸線とが直交していないで、先端部はコイン角αで成形されている。また、水平ラチス材２１は、アルミニウム合金製の押出形材からなり、接続端部２１ａは、プレス加工などにより押し潰して形成される。なお、踏板支持部２１ｂは、プレス加工の妨げにならないように、予め、押し潰される部位を切除しておく。
【００７５】
踏板２２は、図１８（ａ）（ｂ）に示すように、木製や金属製などの板材からなる。また、上弦材１およびラチス材４と接触しないように、Ｕ字形状の切り欠きが形成されている。踏板２２は、トラス構造体２０を構成する水平ラチス材２１にねじ、釘、ボルトなどにより支持固定され、すなわち、左右のトラス構造体２０，２０は、踏板２２により連結される。
【００７６】
フレーム材３、ラチス材４、ハブ５、手摺支柱１３，１４および手摺１５の構成やこれらの接合方法については、第１の実施形態で説明したものと同様であるので、詳細な説明は省略する。
【００７７】
第２の実施形態に係る階段も、各部材を圧入嵌合すれば接合することができるので、組立が容易で、また、接続用の部品を削減することができるので経済的である。さらに、踏板２２を取り付けるまでは、複数のトラス構造体２０を重ねた状態で運搬できるので、運搬効率がよい。
【００７８】
また、階段を側面視すると、踏板が上弦材と下弦材との間に位置することになるので、すっきりとした外観になる。さらに、トラス構造体２０は、溝形鋼やＩ形鋼のような重厚な部材と比べて、軽やかで、かつ、開放感があるので、室内に階段を構築しても圧迫感が無い。
【００７９】
（第３の実施形態）
本発明の第３の実施形態に係る階段は、図２０に示すように、曲線状のトラス構造体３０，３０により構築されている。その他の構成は、第２の実施形態に係る階段とほぼ同一である。
【００８０】
トラス構造体３０は、階段勾配で傾斜する上弦材３１および下弦材３２と、これらを互いに連結する複数のラチス材３４とからなる。また、本実施形態では、上弦材３１および下弦材３２は、ハブ５により連結された複数のフレーム材３３からなり、ラチス材３４はフレーム３３と同種の部材で構成されている。すなわち、トラス構造体３０は、複数のフレーム材３３と、これらを互いに連結するハブ５とからなり、節点ごとに配設されたハブ５に、フレーム材３３の端部が接合されている。また、ラチス材３４の幾つかは、蹴上げ高さで水平に配置される（以下、水平ラチス材３５という）。
【００８１】
フレーム材３３は、第１、第２の実施形態で説明したフレーム材３とほぼ同一の構成であるが、図２１（ｂ）に示すように、フレーム材３３の接続端部３３ａの先端が、フレーム材３３の軸線に対して所要角度（この角度をベント角βと呼ぶ）で折り曲げられている。また、ベント角βは、曲線形状、トラス形状およびフレーム材３３の長さの関数として計算される。また、このような形状は、プレス加工などにより容易に形成することができる。
【００８２】
そして、図２１（ａ）に示すように、このようなフレーム材３３を、ハブ５で順次連結することにより、トラス構造体３０を曲線状に構築することができる。
【００８３】
このように、複数のフレーム材３３でトラス構造体３０を構築するとともに、フレーム材３３の接続端部３３ａを所定の角度で折り曲げることにより、曲線を持つ階段を容易に構築することができる。また、フレーム材３３は、フレーム材３に簡単な加工を施すだけでよく、ハブ５にいたっては、直線状の階段と同じものを使用することができるので、非常に経済的である。
【００８４】
また、図２２（ａ）（ｂ）に示すように、トラス構造体４０、５０のように、その間隔（踏板２２の幅）が徐々に変化するもの、また、図示は省略するが、Ｓ字形状の階段などであっても同様の構成、手順で構築することができる。また、図１３（ｂ）に示すように、手摺１５に継手を設ける場合には、レール材１５ａ内に挿入したジョイントピース１５ｄにより接合する。
【００８５】
（第４の実施形態）
前記の各実施形態では、複数のフレーム材３を連接して上弦材１および下弦材２を構成しているが、これに限定されることはなく、トラス構造体の全長におよぶ長さを有する部材で上弦材および下弦材を構成してもよい。
【００８６】
本発明の第４の実施形態に係る階段は、図２３に示すように、側桁たるトラス構造体６０を構成する上弦材６１および下弦材６２が、トラス構造体６０の全長におよぶ長さを有する形材で形成されている。なお、トラス構造体６０は、前記の各実施形態と同様に、左右に配置されるとともに、左右の上弦材６１，６１が蹴上げ高さごとに水平に配置される複数の連結部材６５により互いに連結され、連結部材６５の上面には、踏板６６が支持固定される。また、本実施形態では、トラス構造体６０の下端と階下の床面７との間には、サポートシュー６７ａ，６７ｂが介設され、上端と階上の梁材８ａとの間には、サポートシュー６７ｃが介設されている。
【００８７】
トラス構造体６０は、上弦材６１および下弦材６２と、上弦材６１および下弦材６２のそれぞれの内部に取り付けられたハブ６４（図２４参照）と、上弦材６１と下弦材６２とを互いに連結する複数のラチス材６３とから構成されている。
【００８８】
上弦材６１は、アルミニウム合金製で、図２５（ｂ）（ｃ）に示すように、階段傾斜方向に連続し、ラチス材６３側に開口する溝部６１ｆを有する形材で形成されている。より詳細には、上弦材６１は、下面が開口した断面溝形の押出形材（溝部６１ｆを有する形材）からなり、溝部６１ｆの内側上面には、長手方向に延びる２つの突条６１ａが形成され、内側の側面下部には、長手方向に延びる突条６１ｂが形成されている。また、上弦材６１の下面には、図２４に示すように、ハブ６４付近の開口を塞ぐ蓋材６１ｃおよびその他の位置の開口を塞ぐ蓋材６１ｄが取り付けられている。
【００８９】
蓋材６１ｃは、図２５（ｂ）に示すように、断面Ｕ字形で、上弦材６１の内側面と突条６１ｂとで形成される溝に、その側端部を嵌め込んで固定されている。蓋材６１ｄは、図２５（ｃ）に示すように、蓋材６１ｃと略同形であるが、その上面に上弦材６１内へ突出する係止片６１ｅが形成され、係止片６１ｅを上弦材６１の突条６１ｂに係止して固定されている。蓋材６１ｃ，６１ｄで上弦材６１の開口を塞ぐので美観が向上する。また、蓋材６１ｃは、ハブ６４に接合されるラチス材６３の抜出しを防止する役割も担う。
【００９０】
下弦材６２は、アルミニウム合金製で、図２６（ａ）（ｂ）に示すように、階段傾斜方向に連続し、ラチス材６３側に開口する溝部６２ｆを有する形材で形成されている。より詳細には、下弦材６２は、上面が開口した断面溝形の押出形材（溝部６２ｆを有する形材）からなり、内側下面には、長手方向に延びる２つの突条６２ａが形成され、内側の側面上部には、長手方向に延びる突条６２ｂが形成されている。また、下弦材６２の上面には、図２４に示すように、ハブ６４付近の開口を塞ぐ蓋材６２ｃおよびその他の位置の開口を塞ぐ蓋材６２ｄが取り付けられている。
【００９１】
蓋材６２ｃおよび蓋材６２ｄは、図２６（ａ）（ｂ）に示すように、図２５（ｂ）（ｃ）に示す上弦材６１に取り付ける蓋材６１ｃおよび蓋材６１ｄと同一の構成である。なお、下弦材６２は、上面が開口しているので、この開口を蓋材
６２ｃ，６２ｄで塞ぐことにより、塵などが下弦材６２の内部に溜まるのを防止することができる。
【００９２】
ラチス材６３は、図６（ｂ）に示すラチス材４と同様の構成で、両端に偏平状の接続端部６３ａが形成された管状の部材からなり（図２４参照）、接続端部６３ａの先端には、凹凸が形成されている（図２５（ａ）参照）。また、ラチス材６３は、図６（ｃ）に示すラチス材４と同様に、接続端部６３ａの先端がラチス材６４の軸線方向に対して角度α（以下、コイン角αとする）をもって切断されている。ラチス材６３は、アルミニウム合金製の押出形材からなり、接続端部６３ａは、プレス加工などにより押し潰して形成される。なお、接続端部６３ａは、ハブ６４の軸線方向に長い偏平状に形成されていることから、ハブ６４の軸線方向の外力に対しては、強度的に強いピンジョイント構造が形成されている。
【００９３】
ハブ６４は、図２５（ａ）（ｂ）に示すように、柱状で、中央にはボルト挿通孔６４ｃが形成され、ハブ６４の外周面には、連結溝６４ａがハブ６４の軸線方向に沿って凹設されている。連結溝６４ａは、ラチス材６３の接続端部６３ａの先端部分と同一の断面形状であり、その内壁には、接続端部６３ａの凹凸と係合する凹凸が形成されている。また、ハブ６４は、断面小判形に形成され、上弦材６１の上面の突条６１ａ，６１ａ間および側面の突条６１ｂ，６１ｂ間に嵌め入れてある。下弦材６２への取付方法も同様である。また、ハブ６４を貫通するボルトＢの頭部およびナットＮを半球状のキャップ６４ｂで覆うことで、美観が向上する。
【００９４】
そして、ハブ６４を上弦材６１および下弦材６２のそれぞれの内部に蹴上げ高さ間隔で取り付け、ラチス材６３の接続端部６３ａをハブ６４の連結溝６４ａに圧入嵌合してラチス材６３とハブ６４とを接合することにより、トラス構造体６０が構築される。このとき、図２５（ａ）に示すように、連結溝６４ａと接続端部６３ａの各々に形成した凹凸が互いに係合するので、ラチス材６３がその軸線方向に引き抜かれることはない。また、ラチス材６３の接続端部６３ａは、接続端部６３ａの先端がコイン角αで傾いているので、ラチス材６３は、連結溝６４ａに対してコイン角αだけ傾斜して接合される。
【００９５】
連結部材６５は、図２４に示すように、階段勾配で傾斜して上弦材６１の上面に当接する傾斜面（以下、取付面６５ｂという）と、踏板６６が載置される水平面（以下、踏板載置面６５ａという）とを有する断面多角形の中空部材であり、その内部からハブ６４のボルト挿通孔６４ｃに挿通したボルトＢによってハブ６４とともに上弦材６１に固定される。また、上下に隣接する連結部材６５（踏板載置面６５ａ）は、蹴上げ高さ間隔で配置される。
【００９６】
踏板６６は、木製や金属製などの板材からなり、図２７に示すように、ねじ、釘、ボルトなどで連結部材６５の踏板載置面６５ａに固定される。
【００９７】
ここで、第４の実施形態に係る階段の施工手順について説明する。なお、以下では、階段の設置箇所において、前記の各部材を順次組み立てる場合を例に説明するが、これに限定されることはなく、搬送や施工の効率を考慮して、適宜、ユニット化したものを組み立ててもよい。
【００９８】
まず、トラス構造体６０を所定の間隔をあけて、階下の床板７と階上の梁材８ａとの間に架設する。また、図２３に示すように、トラス構造体６０の下端と階下の床面７との間に、サポートシュー６７ａ，６７ｂを介設し、上端と階上の梁材８ａとの間に、サポートシュー６７ｃを介設する。トラス構造体６０，６０は、従来の溝形鋼やＩ形鋼などからなる側桁と比較して、非常に軽量なので、設置作業は容易である。
【００９９】
次に、上弦材６１の上面に連結部材６５を取り付けて、トラス構造体６０，６０を互いに連結する。連結部材６５は、図２４に示すように、ハブ６４に合わせて取り付けられ、連結部材６５の内部からハブ６４のボルト挿通孔６４ｃに挿通したボルトＢで上弦材６１の上面に固定される。
【０１００】
そして、連結部材６５の踏板載置面６５ａに踏板６６を支持固定する。なお、連結部材６５に踏板６６を予め固定しておくと、現場での作業が容易になる。
【０１０１】
さらに、手摺支柱１３，１４を上弦材６１や踏板６６に取り付け、手摺支柱１３，１４の上端に手摺１５を取り付けて階段の構築が完了する。また、予め手摺１５に手摺支柱１３，１４を固定しておけば、現場での施工時間が減縮される。
【０１０２】
第４の実施形態に係る階段も、前記の各実施形態と同様に、ユニット化が容易であり、また、トラス構造体６０は、溝形鋼やＩ形鋼のような重厚な部材と比べて、軽やかで、かつ、開放感があるので、室内に階段を構築しても圧迫感が無い。さらに、ハブ６４が上弦材６１および下弦材６２の内部に取り付けられるので、すっきりとした外観を得ることができる。
【０１０３】
また、第４の実施形態では、連結部材６５の上面に踏板６６を支持固定したが、図２８に示すように、左右の上弦材６１，６１の上面に連結部材６５と同じ断面形状を有するブロック状の支持部材６８，６８をそれぞれ取り付け、支持部材６８，６８の上面に踏板６６を架設してもよい。この場合は、踏板６６によって、左右一対のトラス構造体６０，６０が連結されることになる。このようにすると、工場などで予め組み立てたトラス構造体６０を重ねた状態で運搬できるので、運搬効率がよい。
【０１０４】
なお、上弦材６１は、図２５（ｂ）に示すものに限定されることはなく、例えば、図２９（ａ）に示す上弦材６１’のように、下面が開口する溝部６１ｆと中空部６１ｇとを有する形材であってもよい。溝部６１ｆの側面に中空部６１ｇを設けることで上弦材６１’の剛性が向上し、上弦材６１に作用する鉛直荷重および軸圧縮力に対して強い断面構造となる。この場合、ハブ６４は、溝部６１ｆの内部に取り付けられる。
【０１０５】
また、下弦材６２も，図２６（ａ）に示すものに限定されることはなく、例えば、図２９（ｂ）に示す下弦材６２’のように、上面が開口する溝部６２ｆと中空部６２ｇとを有する形材であってもよい。溝部６２ｆの側面に中空部６２ｇを設けることで下弦材６２’の剛性が向上する。この場合、ハブ６４は、溝部６２ｆの内部に取り付けられる。
【０１０６】
そして、上弦材６１’および下弦材６２’でトラス構造体６０を構成すると、階段昇降時に階段に発生する上下方向の撓み、ねじれ、横揺れなどを大幅に抑制することができる。
【０１０７】
また、本実施形態では、上弦材６１および下弦材６２ともにトラス構造体６０の全長におよぶ長さのものとしたが、いずれか一方のみをトラス構造体６０の全長におよぶ長さとし、その他は第２の実施形態に示した如く節点部材（ハブ）を介して接続された短尺のフレーム材で構成することもできる。
【０１０８】
（第５の実施形態）
前記した第４の実施形態では、上弦材６１および下弦材６２を、溝部を有する形材で構成し、溝部の内部にハブ６４を取り付けたが、図３０および図３１に示す第５の実施形態に係る階段のように、上弦材７１および下弦材７２を、中空の形材で形成し、上弦材７１の下面および下弦材７２の上面にハブ７３を取り付けてもよい。なお、図３０は、図３１のＹ４−Ｙ４断面図である。
【０１０９】
第５の実施形態に係る階段は、トラス構造体７０を構成する上弦材７１および下弦材７２が、トラス構造体７０の全長におよぶ長さを有する１本の長尺の形材で形成され、ハブ７３が上弦材７１の下面および下弦材７２の上面に取り付けられている。また、上弦材７１の上面には、連結部材６５が取り付けられ、本実施形態では、ハブ７３、上弦材７１および連結部材６５が一体に固定されている。
【０１１０】
上弦材７１は、本実施形態では、アルミニウム合金製の中空押出形材からなり、図３０に示すように、断面矩形であり、その内部には、上下方向に仕切板７１ａ，７１ａが形成されている。上弦材７１は、内部が中空であるため非常に軽量であり、さらに内部に仕切板７１ａ，７１ａが形成されているので、上弦材７１に作用する鉛直荷重および軸圧縮力に対して強い断面構造である。
【０１１１】
下弦材７２は、本実施形態では、アルミニウム合金製の中空押出形材からなり、図示は省略するが、上弦材７１と同様の断面形状を有する。
【０１１２】
なお、その他の構成は、第４の実施形態に係る階段と同様であるので詳細な説明は省略する。
【０１１３】
上弦材７１の下面にハブ７３を取り付ける場合には、図３０に示すように、ハブ７３の下面から上弦材７１を貫通して連結部材６５の内部までボルトＢを挿通させ、これをナットＮで締結すればよい。また、図示は省略するが、下弦材７２の上面にハブ７３を取り付ける場合には、ハブ７３の上面から下弦材７２の下面にボルトを挿通し、これをナットで締結すればよい。
【０１１４】
このように、ハブ７３を上弦材７１の下面および下弦材７２の上面に取り付ける場合には、上弦材７１および下弦材７２の内部形状を荷重条件などに合わせて任意に設定することができる。
【０１１５】
また、本実施形態では、上弦材７１および下弦材７２ともにトラス構造体７０の全長におよぶ長さのものとしたが、いずれか一方のみをトラス構造体７０の全長におよぶ長さとし、その他は第２の実施形態に示した如く節点部材（ハブ）を介して接続された短尺のフレーム材で構成することもできる。
【０１１６】
（第６の実施形態）
本発明の第６の実施形態に係る階段は、図３２乃至図３６に示すように、左右一対の側桁たるトラス構造体８０，８０と、これらを互いに連結する複数の連結部材８３と、連結部材８３に支持固定される踏板６６と、踏板６６の側端部の上方に位置する手摺１５と、手摺１５を支持する手摺支柱１３とからなる。また、本実施形態では、図３２に示すように、トラス構造体８０の下端と階下の床面７との間には、サポートシュー８５ａ，８５ｂが介設され、上端と階上の梁材８ａとの間には、サポートシュー８５ｃが介設されている。
【０１１７】
トラス構造体８０は、図３２および図３３に示すように、階段勾配で傾斜する上弦材１および下弦材２と、これらを互いに連結する複数のラチス材４とから構成され、上弦材１および下弦材２は、それぞれ複数のフレーム材３をハブ５により連結して構成されている。また、上弦材１に沿って上補強部材８１が配置され、下弦材２に沿って下補強部材８２が配置されている。
【０１１８】
なお、フレーム材３、ラチス材４、ハブ５、手摺支柱１３および手摺１５の構成やこれらの接合方法については、第１の実施形態で説明したものと同様であるので、詳細な説明は省略する。
【０１１９】
上補強部材８１は、アルミニウム合金製の押出形材であり、図３２に示すように、上弦材１の全長と同じ長さを有している。また、図３４（ａ）に示すように、上補強部材８１の断面形状は、下面が開口する溝形であり、上弦材１を内包することができる（図３３参照）。より詳細には、上補強部材８１は、上弦材１の上面側に位置する上板８１ａと、この上板８１ａの側端部から下方に垂下して上弦材１（フレーム材３）を覆い隠す側板８１ｂ，８１ｂとで構成され、上板８１ａがハブ５の上面に当接する。
【０１２０】
下補強部材８２は、アルミニウム合金製の平板状の板材であり、本実施形態では、図３２に示すように、下弦材２のうち、上弦材１と平行になっている部分と同じ長さを有している。
【０１２１】
連結部材８３は、断面多角形状のアルミニウム合金製の中空押出形材からなり、階段勾配で傾斜して上補強部材８１の上面に当接する傾斜面（以下、取付面８３ｂという）と、踏板６６が載置される水平面（以下、踏板載置面８３ａという）とを有し、ハブ５の位置において上補強部材８１の上面に固定されている。すなわち、左右の上弦材１，１間に連結部材８３が架設され、連結部材８３によって左右の上弦材１，１が互いに連結されている。また、図３４（ｂ）に示すように、連結部材８３の内側上面には、踏板６６を固定するためのナットを収容するナットポケット８３ｃが形成され、内側上面および内側側面には、ビスポケット８３ｄが形成されている。このビスポケット８３ｄには、連結部材８３の端面の開口部を塞ぐキャップ板８４（図３３参照）を取り付けるためのビスが螺入される。なお、ナットポケット８３ｃおよびビスポケット８３ｄは、形材を押出成形するときに形成される。
【０１２２】
上補強部材８１をハブ５に固定するには、上弦材１の上側から上補強部材８１を覆い被せ（図３５（ａ）（ｂ）参照）、上補強部材８１の上面に連結部材８３を配置した後に、ボルトをハブ５の下面から上補強部材８１を貫通して連結部材８３の内部にまで挿通させ、これをナットで締結すればよい。このとき、連結部材８３が上補強部材８１の上面に支持固定される。また、下補強部材８２は、その下側からハブ５の上面まで挿通したボルトをナットで締結することにより固定される。さらに、下弦材２を構成するハブ５の下面に下補強部材８２が当接し、この下補強部材８２によりフレーム材３およびラチス材４の下方向への抜出しが防止される。
【０１２３】
このように、上弦材１を構成する複数のハブ５を上補強部材８１で一体化することにより、トラス構造体８０の面外方向の曲げ剛性が向上し、結果として階段昇降時の横揺れが格段に抑制される。また、階段を側面視したときに、上補強部材８１の側板８１ｂによって上弦材１が覆い隠されるので、すっきりとした外観になる。
【０１２４】
また、前記した各実施形態のトラス構造体は、その面内方向（鉛直方向）の荷重に対しては高い剛性を有するものの、面外方向（左右方向）の荷重に対しては相対的に剛性が低いため、補助的手段例えば側桁式階段では、側桁を構成する左右のトラス構造体を連結部材あるいは踏板で互いに連結して、その面外方向に対する剛性を向上させていたが、本実施形態に係るトラス構造体８０では、その面外方向の剛性が向上するので、例えば、連結部材８３を軽構造化することができる。
【０１２５】
なお、上補強部材８１および下補強部材８２の断面形状は、図３４（ａ）に示すものに限定されることはなく、例えば、図３７（ａ）に示すように、それぞれ断面Ｌ字形状のものであってもよい。上補強部材８１および下補強部材８２がＬ字形、溝形であれば上弦材１または下弦材２を構成するフレーム材３が隠れるのでシンプルな意匠となり、さらに上下方向の剛性も向上する。また、上補強部材８１又は下補強部材８２が平板状の場合では、当該補強部材とフレーム材３との間に隙間が生じるが、Ｌ字形または溝形の形材であれば、当該隙間が隠されるのでより意匠性が向上する。
【０１２６】
また、図３７（ｂ）に示すように、上補強部材８１のみを配置して、下補強部材８２を省略してもよい。この場合、左右の下弦材２，２を連結フレーム材９で連結してもよい。また、図示は省略するが、下補強部材８２のみを配置して、上補強部材８１を省略してもよい。
【０１２７】
また、図示は省略するが、前記のトラス構造体８０と同様の構成のトラス構造体は、階段の側桁に限らず、建築構造体など様々な構造体として利用することができる。すなわち、複数のフレーム材をハブで連結して上下の弦材が構成されているトラス構造体において、弦材に沿って補強部材を配置するとともに、この補強部材を少なくとも三個以上のハブに固定すると、弦材を構成する複数のハブが補強部材で一体化され、少なくともその中間のハブは、当該ハブの回転する方向に対して補強されるので、トラス構造体の面外方向の曲げ剛性が向上し、その面外方向の変形が抑制される。また、本実施形態のごとく弦材の全長におよび補強部材を用いれば、全長にわたり補強される。
【０１２８】
したがって、例えば、複数のトラス構造体を併設して用いる場合に、隣り合うトラス構造体同士を互いに連結する部材を省略または軽構造化することができ、すっきりとした外観を得ることができる。なお、このことは、本実施形態のごときハブを用いたトラス構造体に限らず、節点部をいわゆるボールジョイント方式により形成したトラス構造体にも応用できる。
【０１２９】
（第７の実施形態）
本発明の第７の実施形態に係る階段は、図３８に示すように、左右一対の側桁たるトラス構造体９０，９０を互いに連結する複数の連結部材８３の下面に中間補強部材９１を配置するとともに、複数の連結部材８３のそれぞれに固定したものである。すなわち、高さ方向に隣り合う複数の連結部材８３が中間補強部材９１で連結されて一体化されている。
【０１３０】
中間補強部材９１は、アルミニウム合金製の平板状の板材であり、好適には、最下段の連結部材８３から最上段の連結部材８３を一体にできるだけの長さとするのがよい。また、中間補強部材９１は、その上面を連結部材８３の取付面８３ｂ（図３４（ｂ）参照）に当接させるとともに、その下面側からドリルビスなどを打ち込むことで固定される。また、中間補強部材９１は、アルミニウム合金製の平板状の板材に替えて、ポリカーボネート板、アクリル樹脂板などの合成樹脂板でもよい。
【０１３１】
このように、平板状で左右方向に強度の強い中間補強部材９１で複数の連結部材８３を一体化することで、一の連結部材８３（踏板６６）に左右方向の荷重が作用したときに、その荷重が側桁たるトラス構造体９０に全て伝わらず中間補強部材９１で受けられ、さらに、この荷重が他の連結部材８３に分散されるので、例えば、階段昇降時などにおいて、ねじれや横揺れを大幅に抑制することができ、また、連結部材８３の軽構造化を図ることができる。
【０１３２】
（第８の実施形態）
本発明の第８の実施形態に係る階段は、図３９に示すように、左右一対のトラス構造体１００，１００間に板材１０１を取り付けたものである。
【０１３３】
板材１０１は、本実施形態では、多数の小孔が穿設された板材からなり、上弦材１を構成する複数のハブ５の上面に固定されている。なお、板材１０１は、ポリカーボネート板、アクリル樹脂板、アルミニウム合金板などでもよい。
【０１３４】
このように、左右の上弦材１，１間に板材１０１を取り付けることにより、左右のトラス構造体１００，１００が一体化されるとともに、上弦材１，１がなす平面のせん断変形が抑制されるので、階段昇降時にトラス構造体１００，１００に発生するねじれや横揺れが大幅に抑制される。
【０１３５】
なお板材１０１は、上弦材１の全長に渡って取り付けてもよいし、その一部に取り付けてもよい。例えば、図４０に示すように、互いに隣り合う左右二個（計四個）のハブ５に板材１０１’を固定しても、四個のハブ５がなす平面のせん断変形が抑制されるので、階段昇降時にトラス構造体１００，１００に発生するねじれや横揺れが大幅に抑制される。
【０１３６】
また、図３９に示す階段では、左右の上弦材１，１間に板材１０１を取り付けたが、左右の下弦材２，２間に取り付けてもよく、さらには、両方に取り付けてもよい。
【０１３７】
また、第１乃至第７の実施形態で図示した各トラス構造体は、シングルワーレントラス状であるが、例えば、図示は省略するが、プラットトラス状やハウトラス状であってもよい。
【０１３８】
また、節点部材は、本実施形態のハブ５のような円柱形状に限らず、角柱形状などの他の形式の節点部材やボールジョイント方式の節点構造であってもよい。さらには、ラチス材やフレーム材はボルトや溶接などにより接合してもよい。
【０１３９】
【発明の効果】
本発明の階段によれば、側桁が溝形鋼やＩ形鋼で構成されていた従来の階段に比べ、軽快かつ開放感のある階段を構築することができる。
【０１４０】
また、平面形状に曲線が含まれる階段であっても、容易にかつ経済的に構築することができる。さらに、ユニット化も容易であるため、工期の短縮を図ることもできる。
【０１４１】
また、本発明の平面トラス構造体によれば、平面トラス構造体の面外方向の曲げ剛性が向上し、その面外方向の変形が抑制される。したがって、例えば、複数の平面トラス構造体を併設して用いる場合に、隣り合う平面トラス構造体同士を互いに連結する部材を省略または軽構造化することができ、すっきりとした外観を得ることができる。
【図面の簡単な説明】
【図１】第１の実施形態に係る階段の斜視図である。
【図２】図１に示す階段の側面図である。
【図３】図１の拡大側面図である。
【図４】図１に示す階段の正面図である。
【図５】（ａ）は踏板を示す平面図、（ｂ）は同正面図である。
【図６】（ａ）は上弦材および下弦材を構成するフレーム材を示す斜視図、（ｂ）はラチス材を構成するフレーム材を示す斜視図、（ｃ）は（ｂ）に示すフレーム材の側面図である。
【図７】（ａ）は連結部材を示す斜視図、（ｂ）は同端面図である。
【図８】上弦材に配設された節点部材の一例を示す斜視図である
【図９】下弦材に配設された節点部材の一例を示す斜視図である。
【図１０】節点部材の平面図である。
【図１１】（ａ）は手摺部分の拡大側面図、（ｂ）は（ａ）をさらに拡大した図である。
【図１２】（ａ）（ｂ）手摺支柱を示す正面図、（ｃ）は（ｂ）の拡大正面図である。
【図１３】（ａ）手摺と手摺支柱の接続部を示す断面図、（ｂ）は同じく上面図である。
【図１４】第２の実施形態に係る階段の斜視図である。
【図１５】図１４に示す階段の側面図である。
【図１６】図１４の拡大側面図である。
【図１７】図１４に示す階段の正面図である。
【図１８】（ａ）は踏板を示す平面図、（ｂ）は同正面図である。
【図１９】水平ラチス材を示す斜視図である。
【図２０】第３の実施形態に係る階段の斜視図である。
【図２１】（ａ）は曲線に組み立てる場合のフレーム材と節点部材とを示す概略平面図、（ｂ）は（ａ）に示すフレーム材の平面図である。
【図２２】（ａ）（ｂ）他の実施形態を示す斜視図である。
【図２３】第４の実施形態に係る階段の側面図である。
【図２４】図２３の一部を破断させた拡大側面図である。
【図２５】（ａ）は図２４のＸ−Ｘ断面図、（ｂ）は図２４のＹ１−Ｙ１断面図、（ｃ）は図２４のＹＣ−ＹＣ端面図である。
【図２６】（ａ）は図２４のＹ２−Ｙ２断面図、（ｂ）は図２４のＹ３−Ｙ３断面図である。
【図２７】（ａ）は踏板を示す平面図、（ｂ）は同正面図である。
【図２８】（ａ）はその他の踏板を示す平面図、（ｂ）は同正面図である。
【図２９】（ａ）第４の実施形態に係る階段の上弦材の他の例を示す断面図、（ｂ）は同じく下弦材の他の例を示す断面図である。
【図３０】第５の実施形態に係る階段の上弦材の断面図である。
【図３１】第５の実施形態に係る階段の拡大側面図である。
【図３２】第６の実施形態に係る階段の側面図である。
【図３３】図３２の一部を破断させた拡大側面図である。
【図３４】（ａ）は図３２のＹ５−Ｙ５断面図、（ｂ）は連結部材の断面図である。
【図３５】（ａ）はトラス構造体の分解斜視図、（ｂ）はトラス構造体に上補強材と下補強部材とを取り付けた状態を示す斜視図である。
【図３６】第６の実施形態に係る階段の分解斜視図である。
【図３７】（ａ）は上補強部材および下補強部材の他の断面形状を示す図、（ｂ）は上補強部材だけを取り付けた状態を示す断面図である。
【図３８】第７の実施形態に係る階段の斜視図である。
【図３９】第８の実施形態に係る階段を示す斜視図である。
【図４０】第８の実施形態に係る階段の他の例を示す斜視図である。
【符号の説明】
１０　　トラス構造体
１　　　上弦材
２　　　下弦材
３　　　フレーム材
４　　　ラチス材（フレーム材）
５　　　ハブ（節点部材）
６ａ，６ｂ，６ｃ　　サポートシュー
１１　　　連結部材
１２　　踏板
１３，１４　　手摺支柱
１５　　手摺
２０　　トラス構造体
２１　　水平ラチス材
２２　　踏板
３０，４０，５０，６０　　トラス構造体
６１　　上弦材
６１ｃ，６１ｄ　　蓋材
６２　　下弦材
６２ｃ，６２ｄ　　蓋材
６３　　ラチス材
６４　　ハブ（節点部材）
６５　　連結部材
６６　　踏板
６７ａ，６７ｂ，６７ｃ　　サポートシュー
６８　　支持部材
７０，８０　　トラス構造体
８１　　上補強部材
８２　　下補強部材
９０　　トラス構造体
９１　　中間補強部材
１００　トラス構造体
１０１　板材
【図１】
2004003260.tif 000003
【図２】
2004003260.tif 000004
【図３】
2004003260.tif 000005
【図４】
2004003260.tif 000006
【図５】
2004003260.tif 000007
【図６】
2004003260.tif 000008
【図７】
2004003260.tif 000009
【図８】
2004003260.tif 000010
【図９】
2004003260.tif 000011
【図１０】
2004003260.tif 000012
【図１１】
2004003260.tif 000013
【図１２】
2004003260.tif 000014
【図１３】
2004003260.tif 000015
【図１４】
2004003260.tif 000016
【図１５】
2004003260.tif 000017
【図１６】
2004003260.tif 000018
【図１７】
2004003260.tif 000019
【図１８】
2004003260.tif 000020
【図１９】
2004003260.tif 000021
【図２０】
2004003260.tif 000022
【図２１】
2004003260.tif 000023
【図２２】
2004003260.tif 000024
【図２３】
2004003260.tif 000025
【図２４】
2004003260.tif 000026
【図２５】
2004003260.tif 000027
【図２６】
2004003260.tif 000028
【図２７】
2004003260.tif 000029
【図２８】
2004003260.tif 000030
【図２９】
2004003260.tif 000031
【図３０】
2004003260.tif 000032
【図３１】
2004003260.tif 000033
【図３２】
2004003260.tif 000034
【図３３】
2004003260.tif 000035
【図３４】
2004003260.tif 000036
【図３５】
2004003260.tif 000037
【図３６】
2004003260.tif 000038
【図３７】
2004003260.tif 000039
【図３８】
2004003260.tif 000040
【図３９】
2004003260.tif 000041
【図４０】
2004003260.tif 000042